(57)【特許請求の範囲】
【請求項１】
有底筒状の恒温容器の周壁に恒温槽用部材を装着するためのクランプであって、該クランプは、内部クランプ部材と外部クランプ部材とを有し、前記内部クランプ部材は、前記恒温容器の内周面に当接する鉛直方向の内クランプ片と、該内クランプ片の上端から容器外部側に折曲して容器周壁上縁に載置される水平方向の載置片とを有するＬ字状に形成され、前記外部クランプ部材は、容器外周に延出した前記載置片の下面に沿う水平方向の固着片と、該固着片の一側から下方に折曲して前記恒温容器の外周面に当接する鉛直方向の外クランプ片とを有するＬ字状に形成され、前記載置片には、容器内外方向に長い長孔からなるネジ挿通孔が設けられ、前記固着片には、前記ネジ挿通孔を挿通した固定ネジを螺着する雌ねじ孔が設けられ、前記内部クランプ部材に対して前記外部クランプ部材を、固着片の恒温容器側に外クランプ片が位置する状態と、固着片の反恒温容器側に外クランプ片が位置する状態とのいずれかを選択して固定可能に形成し、
前記外クランプ片の先端に、前記恒温容器の周壁外面に当接するゴムパッドが取り付けられ、
前記ゴムパッドは、直方体状に形成された厚さ方向の中間部に、前記外クランプ片の先端部が挿入されるスリットが形成され、該スリットは、ゴムパッドの一方の面側に変位した位置に設けられていることを特徴とする恒温槽用クランプ。
【請求項２】
有底筒状の恒温容器の周壁に恒温槽用部材を装着するためのクランプであって、該クランプは、内部クランプ部材と外部クランプ部材とを有し、前記内部クランプ部材は、前記恒温容器の内周面に当接する鉛直方向の内クランプ片と、該内クランプ片の上端から容器外部側に折曲して容器周壁上縁に載置される水平方向の載置片とを有するＬ字状に形成され、前記外部クランプ部材は、容器外周に延出した前記載置片の下面に沿う水平方向の固着片と、該固着片の一側から下方に折曲して前記恒温容器の外周面に当接する鉛直方向の外クランプ片とを有するＬ字状に形成され、前記載置片には、容器内外方向に長い長孔からなるネジ挿通孔が設けられ、前記固着片には、前記ネジ挿通孔を挿通した固定ネジを螺着する雌ねじ孔が設けられ、前記内部クランプ部材に対して前記外部クランプ部材を、固着片の恒温容器側に外クランプ片が位置する状態と、固着片の反恒温容器側に外クランプ片が位置する状態とのいずれかを選択して固定可能に形成し、
前記恒温容器の周壁上面に沿って配置される水平方向の機器取付板の両端部下面に前記載置片と前記固着片とを重ね合わせて前記固定ネジにてそれぞれ固定されることを特徴とする恒温槽用クランプ。
【請求項３】
前記外クランプ片の先端に、前記恒温容器の周壁外面に当接するゴムパッドが取り付けられていることを特徴とする請求項２記載の恒温槽用クランプ。
【請求項４】
前記ゴムパッドは、直方体状に形成された厚さ方向の中間部に、前記外クランプ片の先端部が挿入されるスリットが形成され、該スリットは、ゴムパッドの一方の面側に変位した位置に設けられていることを特徴とする請求項３記載の恒温槽用クランプ。
【請求項５】
前記載置片の容器外周方向の先端部に、下方に屈曲した機器取付片が設けられていることを特徴とする請求項１乃至４のいずれか１項記載の恒温槽用クランプ。
【発明の詳細な説明】
【技術分野】
【０００１】
本発明は、恒温容器の周壁に、恒温槽用部材を着脱可能に連結する恒温槽用クランプに関し、詳しくは、直径や周壁厚さの異なる恒温容器に適用可能な恒温槽用クランプに関する。
【背景技術】
【０００２】
被保温物を収容して恒温制御する恒温槽では、恒温容器に、恒温容器内の温度を制御するヒータユニットや温度コントローラユニット等の恒温槽用部材が取り付けられている。この恒温槽用部材を恒温容器に取り付ける方法としては、恒温容器の外周にスチールベルトを用いて固定する方法や、恒温槽用部材にクランプを一体的に取り付け、該クランプを介して恒温容器に恒温槽用部材を取り付ける方法があった（例えば、特許文献１参照。）。
【先行技術文献】
【特許文献】
【０００３】
【特許文献１】特開平９−１４７５３号
【発明の概要】
【発明が解決しようとする課題】
【０００４】
しかし、上述の恒温容器の外周にスチールベルトを用いて恒温槽用部材を取り付けるものでは、複数の恒温槽用部材を１本のスチールベルトで固定することから、作業性が悪く恒温槽の組付に手間が掛かっていた。また、特許文献１のものでは、恒温槽用部材にクランプが一体的に取り付けられていることから、汎用性が低かった。
【０００５】
そこで本発明は、恒温容器のサイズに拘わらず、恒温容器の周壁に、恒温槽用部材を安定して取り付けることができる恒温槽用クランプを提供することを目的としている。
【課題を解決するための手段】
【０００６】
上記目的を達成するため、本発明の恒温槽用クランプは、有底筒状の恒温容器の周壁に恒温槽用部材を装着するためのクランプであって、該クランプは、内部クランプ部材と外部クランプ部材とを有し、前記内部クランプ部材は、前記恒温容器の内周面に当接する鉛直方向の内クランプ片と、該内クランプ片の上端から容器外部側に折曲して容器周壁上縁に載置される水平方向の載置片とを有するＬ字状に形成され、前記外部クランプ部材は、容器外周に延出した前記載置片の下面に沿う水平方向の固着片と、該固着片の一側から下方に折曲して前記恒温容器の外周面に当接する鉛直方向の外クランプ片とを有するＬ字状に形成され、前記載置片には、容器内外方向に長い長孔からなるネジ挿通孔が設けられ、前記固着片には、前記ネジ挿通孔を挿通した固定ネジを螺着する雌ねじ孔が設けられ、前記内部クランプ部材に対して前記外部クランプ部材を、固着片の恒温容器側に外クランプ片が位置する状態と、固着片の反恒温容器側に外クランプ片が位置する状態とのいずれかを選択して固定可能に形成したことを特徴としている。
【０００７】
また、前記外クランプ片の先端に、前記恒温容器の周壁外面に当接するゴムパッドが取り付けられていると好ましい。さらに、前記ゴムパッドは、直方体状に形成された厚さ方向の中間部に、前記外クランプ片の先端部が挿入されるスリットが形成され、該スリットは、ゴムパッドの一方の面側に変位した位置に設けられていると好適である。
【０００８】
また、前記載置片の容器外周方向の先端部に、下方に屈曲した機器取付片が設けられていると好ましい。さらに、前記恒温容器の周壁上面に沿って配置される水平方向の機器取付板の両端部下面に前記載置片と前記固着片とを重ね合わせて前記固定ネジにてそれぞれ固定されると好適である。
【発明の効果】
【０００９】
本発明の恒温槽用クランプによれば、内部クランプ部材の載置片に長孔からなるネジ挿通孔が設けられていることから、長孔に固定ネジを挿通させる位置を変えることで、容器内外方向にクランプ幅を調整することができる。また、外部クランプ部材は、内部クランプ部材に対して、固着片の恒温容器側に外クランプ片が位置する状態と、固着片の反恒温容器側に外クランプ片が位置する状態とのいずれかを選択して固定可能であることから、周壁の厚さの異なる恒温容器にも同一のクランプを用いることができる。
【００１０】
また、外クランプ片の先端に、恒温容器の周壁外面に当接するゴムパッドが取り付けられることにより、恒温槽用クランプを安定した状態で恒温容器の周壁に取り付けることができる。さらに、ゴムパッドは、直方体状に形成された厚さ方向の中間部に、外クランプ片の先端部が挿入されるスリットが形成され、該スリットは、ゴムパッドの一方の面側に変位した位置に設けられることにより、ゴムパッドを表裏反転させて外クランプ片の先端に挿入させることで、クランプ幅を調整することができる。
【００１１】
また、載置片の容器外周方向の先端部に、下方に屈曲した機器取付片が設けられていることにより、恒温槽用部材を恒温槽用クランプに確実に取り付けることができる。さらに、恒温容器の周壁上面に沿って配置される水平方向の機器取付板の両端部下面に載置片と固着片とを重ね合わせて固定ネジにてそれぞれ固定されることにより、恒温容器の直径の大小にかかわらず、一対のクランプを介して機器取付板に取り付けた恒温槽用部材を恒温容器の周壁に確実に取り付けることができる。
【図面の簡単な説明】
【００１２】
【図１】本発明の一形態例を示す恒温槽の斜視図である。
【図２】同じく恒温槽の要部平面図である。
【図３】図２のＩＩＩ−ＩＩＩ断面図である。
【図４】図３のＩＶ−ＩＶ断面図である。
【図５】本発明の一形態例を示す機器取付板と恒温槽用クランプの分解斜視図である。
【図６】同じく要部断面図である。
【図７】サイズの異なる恒温容器に恒温槽用クランプを適用する際の要部平面図である。
【図８】図７のＶＩＩＩ−ＶＩＩＩ断面図である。
【発明を実施するための形態】
【００１３】
図１乃至図６は、本発明を適用した恒温槽の一形態例を示す図で、恒温槽１１として、マグネチックスターラー１２にガラス製の恒温容器１３を載置した例を示している。恒温容器１３の周壁には、複数の恒温槽用クランプ１４を介して、恒温槽用部材の一例である温度コントローラユニット１５と、ヒータユニット１６と、マグネチックスターラー１２のポール１２ａに連結される支持棒１７とがそれぞれ連結されている。
【００１４】
恒温槽用クランプ１４は、内部クランプ部材１８と外部クランプ部材１９とを有し、内部クランプ部材１８は、恒温容器１３の内周面に当接する鉛直方向の内クランプ片１８ａと、該内クランプ片１８ａの上端から容器外部側に折曲して容器周壁上縁に載置される水平方向の載置片１８ｂとを有するＬ字状に形成されている。外部クランプ部材１９は、容器外周に延出した載置片１８ｂの下面に沿う水平方向の固着片１９ａと、該固着片１９ａの一側から下方に折曲して恒温容器１３の外周面に当接する鉛直方向の外クランプ片１９ｂとを有するＬ字状に形成されている。また、載置片１８ｂには、容器内外方向に長い長孔からなるネジ挿通孔１８ｃが、固着片１９ａには、ネジ挿通孔１８ｃを挿通した固定ネジ２０を螺着する雌ねじ孔１９ｃがそれぞれ設けられている。
【００１５】
外部クランプ部材１９は、外クランプ片１９ｂの先端部両側に、ゴムパッド２１を保持するための半円状に切り欠いた窪み部１９ｄ，１９ｂが設けられ、内部クランプ部材１８に対して、固着片１９ａの恒温容器側に外クランプ片１９ｂが位置する状態と、固着片１９ａの反恒温容器側に外クランプ片１９ｂが位置する状態とのいずれかを選択して固定可能に形成されている。
【００１６】
ゴムパッド２１は、直方体状に形成されており、厚さ方向の中間部に、外クランプ片１９ｂの先端部が挿入されるスリット２１ａが形成されている。このスリット２１ａは、ゴムパッド２１の一方の面（表面）側に変位した位置に設けられており、図３に示すように、ゴムパッド２１の表面を反恒温容器に向けてスリット２１ａに外クランプ片１９ｂを挿入したときに、外クランプ片１９ｂと恒温容器１３の外周面との距離が大きくなり、ゴムパッド２１の表面を恒温容器１３に向けてスリット２１ａに外クランプ片１９ｂを挿入したときに、外クランプ片１９ｂと恒温容器１３の外周面との距離が小さくなるように形成されている。また、スリット２１ａの内部には、前記窪み部１９ｄ，１９ｂに嵌合する突部２１ｂ，２１ｂが形成されている。
【００１７】
温度コントローラユニット１５とヒータユニット１６とは、機器取付板２２の両端部に一対の恒温槽用クランプ１４，１４を回動可能に取り付けた取付ブラケット２３を介して恒温容器１３に取り付けられる。機器取付板２２は、平面視台形状に形成され、短辺側から下方に屈曲した機器取付片２２ａと、長辺側両端部にそれぞれ形成されたネジ挿通孔２２ｂ，２２ｂとを備えている。
【００１８】
取付ブラケット２３は、機器取付板２２の下方に、内部クランプ部材１８の載置片１８ｂと外部クランプ部材１９の固着片１９ａとが順に配置され、ネジ挿通孔２２ｂ，１８ｃと雌ねじ孔１９ｃとに亘って固定ネジ２０を挿通し、機器取付板２２に内部クランプ部材１８と外部クランプ部材１９とが仮止めされた状態となっている。また、外部クランプ部材１９の外クランプ片１９ｂの先端部には、表面を外側に向けてゴムパッド２１のスリット２１ａが挿入され、外クランプ片１９ｂの窪み部１９ｄ，１９ｂに、ゴムパッド２１の突部２１ｂ，２１ｂが嵌合している。
【００１９】
このように形成された取付ブラケット２３を用いて恒温容器１３に、ヒータユニット１６を取り付ける際には、図２乃至図４に示されるように、機器取付板２２の機器取付片２２ａにヒータユニット１６を取付ボルト１６ａで固定する。内クランプ片１８ａと外クランプ片１９ｂとを機器取付板２２の長辺側に回動させ、外部クランプ部材１９は、固着片１９ａの恒温容器側に外クランプ片１９ｂが位置する状態とする。
【００２０】
次いで、機器取付板２２を恒温容器１３の周壁の上部に載置し、ヒータユニット１６を恒温容器１３の外周側に配置するとともに、内部クランプ部材１８と外部クランプ部材１９とを機器取付板２２に対して、恒温容器１３の中心に向かって先端部が互いに近付くハ字状に配置し、内部クランプ部材１８の内クランプ片１８ａを恒温容器１３の内周面に当接させ、ゴムパッド２１の裏面を恒温容器１３の外周面に当接させて、固定ネジ２０を締結して内部クランプ部材１８と外部クランプ部材１９とを機器取付板２２に固定し、これにより、ヒータユニット１６を恒温容器１３に取り付けられる。また、温度コントローラユニット１５も、ヒータユニット１６と同様にして、取付ブラケット２３を介して恒温容器１３に取り付けられる。
【００２１】
図６に示されるように、支持棒１７を取り付ける恒温槽用クランプ１４は、内部クランプ部材１８の載置片１８ｂが、容器外周側から下方に屈曲した機器取付片１８ｄを備えたコ字状に形成されている。機器取付片１８ｄには、ピン部材２４を介して支持棒１７を回動可能に取り付けた連結部材２５が固着されている。
【００２２】
この恒温槽用クランプ１４は、内部クランプ部材１８の載置片１８ｂの下部に外部クランプ部材１９の固着片１９ａを配置し、ネジ挿通孔１８ｃと雌ねじ孔１９ｃとに亘って固定ネジ２０を挿通する。外部クランプ部材１９は、外クランプ片１９ｂの先端部にゴムパッド２１のスリット２１ａが挿入され、外クランプ片１９ｂの窪み部１９ｄ，１９ｂに、ゴムパッド２１の突部２１ｂ，２１ｂを嵌合させ、固着片１９ａの恒温容器側に外クランプ片１９ｂが位置する状態とする。
【００２３】
次いで、載置片１８ｂを恒温容器１３の周壁の上部に載置し、支持棒１７を恒温容器１３の外周側に配置するとともに、内部クランプ部材１８の内クランプ片１８ａを恒温容器１３の内周面に当接させ、ゴムパッド２１の裏面を恒温容器１３の外周面に当接させた状態で、固定ネジ２０を締結する。さらに、支持棒１７を回動させて、先端部をマグネチックスターラー１２のポール１２ａにムッフ２６を介して連結させ、恒温容器１３の振動を抑制する。
【００２４】
次に、図７及び図８に基づいて、上述の取付ブラケット２３を用いて、上述の恒温容器１３よりも直径が大きく、且つ、周壁が厚い金属製の恒温容器４１に、ヒータユニット１６を取り付ける場合について説明する。
【００２５】
外部クランプ部材１９の固着片１９ａの先端に、ゴムパッド２１を表裏反転させ、裏面を外側に向けて挿入し、固着片１９ａの窪み部１９ｄ，１９ｂにゴムパッド２１の突部２１ｂ，２１ｂを嵌合させる。機器取付板２２には、内部クランプ部材１８と外部クランプ部材１９とが、内クランプ片１８ａを機器取付板２２の長辺側に、固着片１９ａを機器取付板２２の短辺側にそれぞれ回動させて仮止めされ、外部クランプ部材１９は、固着片１９ａの反恒温容器側に外クランプ片１９ｂが位置する状態となっている。
【００２６】
次いで、機器取付板２２を、恒温容器１３の周壁の上部に載置し、ヒータユニット１６を恒温容器１３の外周側に配置するとともに、内部クランプ部材１８と外部クランプ部材１９とを機器取付板２２に対して、恒温容器１３の中心に向かって先端部が互いに近付くハ字状に配置し、内部クランプ部材１８の内クランプ片１８ａを恒温容器１３の内周面に当接させ、ゴムパッド２１の表面を恒温容器１３の外周面に当接させて、固定ネジ２０で固定する。これにより、ヒータユニット１６が恒温容器１３に取り付けられる。
【００２７】
上述のように、本形態例では、恒温容器１３の直径や周壁の厚さにかかわらず恒温槽用クランプ１４を介して恒温槽用部材を恒温容器１３の周壁に確実に取り付けることができる。さらに、載置片１８ｂには恒温容器１３の容器内外方向に長い長孔からなるネジ挿通孔１８ｃが形成され、ネジ挿通孔１８ｃに固定ネジ２０を挿通させる位置を変えることで、容器内外方向に恒温槽用クランプ１４のクランプ幅を調整することができる。
【００２８】
また、機器取付板２２に一対の恒温槽用クランプ１４を備えた取付ブラケット２３では、機器取付板２２に取り付けた恒温槽用部材の負荷を、機器取付板２２と恒温容器１３の周壁との当接部と、一対の恒温槽用クランプ１４，１４と恒温容器１３の周壁との各当接部との３点で受けることができることから、恒温槽用部材を恒温容器１３に安定して取り付けることができる。さらに、機器取付板２２に取り付けられた一対の恒温槽用クランプ１４，１４は、恒温容器１３に取り付けられる際に、機器取付板２２に対して、恒温容器１３の中心に向かって先端部が互いに近付くハ字状に傾いて取り付けられることにより、機器取付板２２に恒温槽用部材の重量が掛かっても、機器取付板２２が倒れる虞がなく、恒温槽用部材を安定して恒温容器１３の周壁に固定することができる。
【００２９】
なお、本発明の恒温槽用クランプは角型の恒温容器にも用いることもできる。また、恒温容器の周壁の厚さに応じて、外部クランプ部材のみを、固着片の恒温容器側に外クランプ片が位置する状態と、固着片の反恒温容器側に外クランプ片が位置する状態とのいずれかに選択して固定したり、ゴムパッドのみを表裏反転させて使用することもできる。
【符号の説明】
【００３０】
１１…恒温槽、１２…マグネチックスターラー、１２ａ…ポール、１３…恒温容器、１４…恒温器用クランプ、１５…温度コントローラユニット、１６…ヒーターユニット、１６ａ…取付ボルト、１７…支持棒、１８…内部クランプ部材、１８ａ…内クランプ片、１８ｂ…載置片、１８ｃ…ネジ挿通孔、１８ｄ…機器取付片、１９…外部クランプ部材、１９ａ…固着片、１９ｂ…外クランプ片、１９ｃ…雌ねじ孔、１９ｄ…窪み部、２０…固定ネジ、２１…ゴムパッド、２１ａ…スリット、２１ｂ…突部、２２…機器取付板、２２ａ…機器取付片、２２ｃ…ネジ挿通孔、２３…取付ブラケット、２４…ピン部材、２５…連結部材、２６…ムッフ、４１…恒温容器 
【図１】
0006609443.tif 000002
【図２】
0006609443.tif 000003
【図３】
0006609443.tif 000004
【図４】
0006609443.tif 000005
【図５】
0006609443.tif 000006
【図６】
0006609443.tif 000007
【図７】
0006609443.tif 000008
【図８】
0006609443.tif 000009